(57)【特許請求の範囲】
【請求項１】
シートが載置されるトレイと、
上記トレイに載置されたシートを第１向きに給送する給送ローラと、
上記給送ローラよりも上記第１向き下流側に配置され、上記第１向き且つ上方に傾斜する傾斜部と、
上記給送ローラによって上記第１向きに給送されて上記傾斜部を通過したシートが案内される搬送路の一部を形成し、当該搬送路を通るシートを案内する外側案内部材であって、上下方向に沿って延設される第１ガイド部、及び上記第１ガイド部と連続して上記第１向きとは反対の第２向きに向けて湾曲する第２ガイド部を有する外側案内部材と、
上記搬送路の一部を形成し、当該搬送路を通るシートを案内する内側案内部材であって、上記第１ガイド部及び上記第２ガイド部と対向し且つ湾曲する第３ガイド部を有する内側案内部材と、
上記給送ローラによって給送されて上記第２ガイド部及び上記第３ガイド部を通過するシートを上記第２向きに搬送する搬送ローラと、
上記搬送路に向かって上記傾斜部から露出しており、給送されるシートと当接することによって回転される第１コロと、
上記外側案内部材に回転可能に取り付けられており、上記上下方向に沿って延設される上記第１ガイド部から上記搬送路に露出しており、給送されるシートと当接することによって回転される第２コロと、を備え、
上記傾斜部は、上記第１ガイド部よりも上記第２向き側に位置しており、
上記第１コロの回転中心は、上記傾斜部の上端よりも下方に配置されており、
上記第１コロと上記第２コロとの共通接線が、上記傾斜部の上端及び上記第１ガイド部において上記搬送路へと露出している上記第２コロよりも下方の部分よりも、上記第２向き寄りに位置すべく、上記第１コロ及び上記第２コロが配置されている給送装置。
【請求項２】
上記第２コロは、上記第１ガイド部の上下方向の中央部から上記搬送路に露出した状態で、上記外側案内部材に取り付けられいる請求項１に記載の給送装置。
【請求項３】
上記第２コロは、上記回転軸方向に沿って間隔を空けて複数設けられており、
上記第２コロの上記回転軸方向における中央の位置は、上記第１コロの上記回転軸方向における中央の位置と異なる請求項１または２に記載の給送装置。
【請求項４】
複数の上記第２コロのうちの少なくとも一部の上記第２コロは、その上記回転軸方向の両端部の少なくとも一方の位置が上記第１コロの上記回転軸方向の端部と重なるように配置されている請求項３に記載の給送装置。
【請求項５】
上記内側案内部材に回転可能に取り付けられており、上記第３ガイド部において最も上記第１向き側の頂点部から上記搬送路に露出しており、給送されるシートと当接することによって回転される第３コロを更に備え、
上記頂点部は、上記第２コロの回転中心よりも上方に位置しており、
上記第３コロの回転中心と上記第２コロの回転中心との距離は、上記第３コロの回転中心と上記搬送ローラの回転中心との距離よりも短い請求項２から４のいずれかに記載の給送装置。
【請求項６】
上記第１コロは、上記第１コロの回転軸方向に沿って間隔を空けて複数設けられている請求項１から５のいずれかに記載の給送装置。
【請求項７】
上記第１コロは、上記給送ローラによって第１向きに給送されるシートの上記回転軸方向の端から外れる位置に配置される請求項６に記載の給送装置。
【請求項８】
上記第１コロは、上記傾斜部に取り付けられている請求項１から７のいずれかに記載の給送装置。
【請求項９】
上記傾斜部には、上記トレイに載置される複数のシートを分離する分離部が配置され、
上記第１コロは、上記第１コロの回転軸方向において上記分離部から離れて配置され、且つ上記傾斜部の傾斜向きにおいて上記分離部の上端の位置を含むように配置されており、
上記傾斜向きと上記回転軸方向とに直交する突出向きへの上記第１コロの露出量は、上記突出向きへの上記分離部の上端の露出量よりも大きい請求項１から８のいずれかに記載の給送装置。
【請求項１０】
シートが載置されるトレイと、
上記トレイに載置されたシートを第１向きに給送する給送ローラと、
上記給送ローラよりも上記第１向き下流側に配置され、上記第１向き且つ上方に傾斜する傾斜部と、
上記給送ローラによって上記第１向きに給送されて上記傾斜部を通過したシートが案内される搬送路の一部を形成し、当該搬送路を通るシートを案内する外側案内部材であって、上下方向に沿って延設される第１ガイド部、及び上記第１ガイド部と連続して上記第１向きとは反対の第２向きに向けて湾曲する第２ガイド部を有する外側案内部材と、
上記搬送路の一部を形成し、当該搬送路を通るシートを案内する内側案内部材であって、上記第１ガイド部及び上記第２ガイド部と対向し且つ湾曲する第３ガイド部を有する内側案内部材と、
上記給送ローラによって給送されて上記第２ガイド部及び上記第３ガイド部を通過するシートを上記第２向きに搬送する搬送ローラと、
上記搬送路に向かって上記傾斜部または上記第１ガイド部から露出しており、給送されるシートと当接することによって回転される第１コロと、
上記外側案内部材に回転可能に取り付けられており、上記第１ガイド部の上下方向の中央部から上記搬送路に露出しており、給送されるシートと当接することによって回転される第２コロと、を備え、
上記傾斜部の上端は、上記第１ガイド部の下端よりも上方に位置し、且つ上記第１ガイド部の下端よりも上方の上記傾斜部は、上記第１ガイド部よりも上記第２向き側に位置しており、
上記第１コロの回転中心は、上記傾斜部の上端よりも下方且つ上記第１ガイド部の下端よりも上方に配置されており、
上記第２コロは、当該第２コロの回転軸方向に沿って間隔を空けて複数設けられており、
上記第２コロの上記回転軸方向における中央の位置は、上記第１コロの上記回転軸方向における中央の位置と異なる給送装置。
【請求項１１】
複数の上記第２コロのうちの少なくとも一部の上記第２コロは、その上記回転軸方向の両端部の少なくとも一方の位置が上記第１コロの上記回転軸方向の端部と重なるように配置されている請求項１０に記載の給送装置。
【請求項１２】
シートが載置されるトレイと、
上記トレイに載置されたシートを第１向きに給送する給送ローラと、
上記給送ローラよりも上記第１向き下流側に配置され、上記第１向き且つ上方に傾斜する傾斜部と、
上記給送ローラによって上記第１向きに給送されて上記傾斜部を通過したシートが案内される搬送路の一部を形成し、当該搬送路を通るシートを案内する外側案内部材であって、上下方向に沿って延設される第１ガイド部、及び上記第１ガイド部と連続して上記第１向きとは反対の第２向きに向けて湾曲する第２ガイド部を有する外側案内部材と、
上記搬送路の一部を形成し、当該搬送路を通るシートを案内する内側案内部材であって、上記第１ガイド部及び上記第２ガイド部と対向し且つ湾曲する第３ガイド部を有する内側案内部材と、
上記給送ローラによって給送されて上記第２ガイド部及び上記第３ガイド部を通過するシートを上記第２向きに搬送する搬送ローラと、
上記搬送路に向かって上記傾斜部または上記第１ガイド部から露出しており、給送されるシートと当接することによって回転される第１コロと、
上記外側案内部材に回転可能に取り付けられており、上記第１ガイド部の上下方向の中央部から上記搬送路に露出しており、給送されるシートと当接することによって回転される第２コロと、
上記内側案内部材に回転可能に取り付けられており、上記第３ガイド部において最も上記第１向き側の頂点部から上記搬送路に露出しており、給送されるシートと当接することによって回転される第３コロと、を備え、
上記傾斜部の上端は、上記第１ガイド部の下端よりも上方に位置し、且つ上記第１ガイド部の下端よりも上方の上記傾斜部は、上記第１ガイド部よりも上記第２向き側に位置しており、
上記第１コロの回転中心は、上記傾斜部の上端よりも下方且つ上記第１ガイド部の下端よりも上方に配置されており、
上記頂点部は、上記第２コロの回転中心よりも上方に位置しており、
上記第３コロの回転中心と上記第２コロの回転中心との距離は、上記第３コロの回転中心と上記搬送ローラの回転中心との距離よりも短い給送装置。
【請求項１３】
シートが載置されるトレイと、
上記トレイに載置されたシートを第１向きに給送する給送ローラと、
上記給送ローラよりも上記第１向き下流側に配置され、上記第１向き且つ上方に傾斜する傾斜部と、
上記給送ローラによって上記第１向きに給送されて上記傾斜部を通過したシートが案内される搬送路の一部を形成し、当該搬送路を通るシートを案内する外側案内部材であって、上記上方に向けて延設され且つ上記第１向きとは反対の第２向きに向けて湾曲する外側案内部材と、
上記搬送路の一部を形成し、当該搬送路を通るシートを案内する内側案内部材であって、上記外側案内部材の少なくとも一部と対向するガイド部を有する内側案内部材と、
上記給送ローラによって給送されて上記外側案内部材及び上記内側案内部材によって案内されたシートを上記第２向きに搬送する搬送ローラと、
上記搬送路に向かって上記傾斜部から露出しており、給送されるシートと当接することによって回転される第１コロと、
上記外側案内部材の、上記外側案内部材における上記第２向きに向けて湾曲する部分及び上記傾斜部の上端の間の部分に回転可能且つ上記搬送路に向けて露出した状態で取り付けられており、給送されるシートと当接することによって回転される第２コロと、を備え、
上記第１コロの回転中心は、上記傾斜部の上端よりも下方に配置されており、
上記第２コロは、上記外側案内部材において、当該第２コロの回転軸方向に沿って間隔をあけて複数設けられており、
上記第２コロの上記回転軸方向における中央の位置は、上記第１コロの上記回転軸方向における中央の位置と異なる給送装置。
【請求項１４】
複数の上記第２コロのうちの少なくとも一部の上記第２コロは、その上記回転軸方向の両端部の少なくとも一方の位置が上記第１コロの上記回転軸方向の端部と重なるように配置されている請求項１３に記載の給送装置。
【請求項１５】
シートが載置されるトレイと、
上記トレイに載置されたシートを第１向きに給送する給送ローラと、
上記給送ローラよりも上記第１向き下流側に配置され、上記第１向き且つ上方に傾斜する傾斜部と、
上記給送ローラによって上記第１向きに給送されて上記傾斜部を通過したシートが案内される搬送路の一部を形成し、当該搬送路を通るシートを案内する外側案内部材であって、上記上方に向く第１ガイド部、及び上記第１ガイド部と連続して上記第１向きとは反対の第２向きに向けて湾曲する第２ガイド部を有する外側案内部材と、
上記搬送路の一部を形成し、当該搬送路を通るシートを案内する内側案内部材であって、少なくとも上記第２ガイド部と対向し且つ湾曲する第３ガイド部を有する内側案内部材と、
上記給送ローラによって給送されて上記第２ガイド部及び上記第３ガイド部を通過するシートを上記第２向きに搬送する搬送ローラと、
上記搬送路に向かって上記傾斜部から露出しており、給送されるシートと当接することによって回転される第１コロと、
上記外側案内部材における上記第１ガイド部に回転可能且つ上記搬送路に向けて露出した状態で取り付けられており、給送されるシートと当接することによって回転され、上記傾斜部の上端よりも上記上方に位置する第２コロと、
上記内側案内部材に回転可能に取り付けられており、上記第３ガイド部において最も上記第１向き側に位置する所定部分から上記搬送路に露出しており、給送されるシートと当接することによって回転される第３コロと、を備え、
上記第１コロの回転中心は、上記傾斜部の上端よりも下方に配置されており、
上記所定部分は、上記第２コロの回転中心よりも上記上方に位置しており、
上記第３コロの回転中心と上記第２コロの回転中心との距離は、上記第３コロの回転中心と上記搬送ローラの回転中心との距離よりも短い給送装置。
【請求項１６】
請求項１から１５のいずれかに記載の給送装置と、
上記搬送ローラによって搬送されるシートに画像を記録する記録部と、を備える画像記録装置。
【発明の詳細な説明】
【技術分野】
【０００１】
本発明は、搬送路にシートを給送する給送装置、及び当該給送装置を備えておりシートに画像を記録する画像記録装置に関する。
【背景技術】
【０００２】
シートが載置されるトレイと、シートを案内する搬送路と、トレイに載置されたシートを搬送路へ給送するローラなどの給送部とを備える給送装置が知られている。このような給送装置を備えた装置としては、例えばプリンタや複合機などの画像記録装置がある。
【０００３】
このような給送装置では、装置の大型化を防止するために、搬送路が湾曲状に形成されていることが多い。搬送路が湾曲状である場合、以下の問題が生じるおそれがある。つまり、湾曲状の搬送路を案内されるシートが、搬送路を区画するガイド部材の表面に貼り付いてしまうことがある。特に、光沢紙やハガキなどの厚紙が湾曲状の搬送路を案内される場合、上記の貼り付きが生じる可能性が高くなる。この貼り付きが生じると、ガイド部材とシートとの摩擦が上昇するために、給送部による給送が正常に行えず、給送不良が発生してしまう。
【０００４】
このような問題を解決するために、特許文献１には、湾曲状の搬送路にコロが配置された画像記録装置が開示されている。当該画像記録装置においては、シートは、湾曲状の搬送路において、コロによって円滑に案内される。
【先行技術文献】
【特許文献】
【０００５】
【特許文献１】特開２００６−８３２８号公報
【発明の概要】
【発明が解決しようとする課題】
【０００６】
しかしながら、湾曲状の搬送路にコロを配置したとしても、コロの配置位置によっては、シートは、湾曲状の搬送路に貼り付いてしまうおそれがある。
【０００７】
例えば、特許文献１に記載された画像記録装置においては、図１８に示されるように、傾斜分離板８に用紙を円滑に搬送路に導くためのコロ６０が取り付けられている。しかしながら、コロ６０と傾斜分離板８の上端縁８ｂとの間には距離がある。そのため、以下に詳述するように、搬送路に導かれたシートは、搬送路体９の板部９ａに貼り付いてしまうおそれがある。
【０００８】
給紙カセット３から給送されたシートの先端は、コロ６０に当接する。これにより、シートは、コロ６０によって円滑に搬送路を案内される。しかしながら、シートの先端がコロ６０を通過すると、直ぐに、当該シートの先端が、コロ６０と上端縁８ｂとの間の傾斜分離板８に当接する。これにより、シートは、当該シートの先端と未だ給紙カセット３に載置されている部分との間において、傾斜分離板８から浮いた状態となる。その結果、当該シートは、コロ６０から離間される。この状態で、当該シートが更に搬送路に沿って案内され、当該シートの先端が板部９ａに達すると、当該シートは撓み始める。すると、当該シートは、板部９ａに貼り付いてしまう。その後、撓みの大きくなった当該シートが再びコロ６０と当接したとしても、上記の板部９ａへの貼り付きによって当該シートに対する搬送抵抗が大きくなっているために、コロ６０は当該シートを円滑に搬送できないおそれがある。その結果、当該シートは、搬送路において詰まってしまったり、当該シートが給紙ローラ６ｂに対してスリップしたりする給送不良が発生するおそれがある。
【０００９】
本発明は、上記問題に鑑みてなされたものであり、その目的は、湾曲された搬送路に沿ってシートを円滑に案内することができる構造を提供することにある。
【課題を解決するための手段】
【００１０】
(1)  本発明の給送装置は、シートが載置されるトレイと、上記トレイに載置されたシートを第１向きに給送する給送ローラと、上記給送ローラよりも上記第１向き下流側に配置され、上記第１向き且つ上方に傾斜する傾斜部と、上記給送ローラによって上記第１向きに給送されて上記傾斜部を通過したシートが案内される搬送路の一部を形成し、当該搬送路を通るシートを案内する外側案内部材であって、上下方向に沿って延設される第１ガイド部、及び上記第１ガイド部と連続して上記第１向きとは反対の第２向きに向けて湾曲する第２ガイド部を有する外側案内部材と、上記搬送路の一部を形成し、当該搬送路を通るシートを案内する内側案内部材であって、上記第１ガイド部及び上記第２ガイド部と対向し且つ湾曲する第３ガイド部を有する内側案内部材と、上記給送ローラによって給送されて上記第２ガイド部及び上記第３ガイド部を通過するシートを上記第２向きに搬送する搬送ローラと、上記搬送路に向かって上記傾斜部または上記第１ガイド部から露出しており、給送されるシートと当接することによって回転される第１コロと、を備える。上記傾斜部の上端は、上記第１ガイド部の下端よりも上方に位置し、且つ上記第１ガイド部の下端よりも上方の上記傾斜部は、上記第１ガイド部よりも上記第２向き側に位置している。上記第１コロの回転中心は、上記傾斜部の上端よりも下方且つ上記第１ガイド部の下端よりも上方に配置されている。
【００１１】
本構成の場合、トレイから給送ローラによって給送されたシートの先端は、第１コロに当接する。これにより、シートは、第１コロによって円滑に搬送路を案内される。ここで、第１コロの回転中心は、傾斜部の上端よりも下方且つ第１ガイド部の下端よりも上方、つまり傾斜部の最上端部に配置されている。よって、第１コロを通過したシートが傾斜部に当接することを抑制できる。したがって、本構成によれば、第１コロを通過したシートが第１コロから離間する可能性を低くすることができる。
【００１２】
更に、本構成の場合、第１ガイド部の下端よりも上方の傾斜部は、第１ガイド部よりも装置前方に位置している。これにより、第１コロを通過したシートの先端が第１ガイド部に当接するまでの間に、当該シートは給送ローラによってある程度の距離を給送されることになる。これにより、当該シートが第１ガイド部に当接した際、当該シートの撓みは大きくなっている。すると、大きく撓んだ当該シートは、第１コロに当接する。以上より、シートが傾斜部や第１ガイド部に貼り付く可能性を低くすることができる。
【００１３】
(2)  本発明の給送装置は、上記外側案内部材に回転可能に取り付けられており、上記第１ガイド部の上下方向の中央部から上記搬送路に露出しており、給送されるシートと当接することによって回転される第２コロを更に備える。
【００１４】
本構成によれば、第２コロが第１ガイド部の上下方向の中央部に配置されているため、シートを第１ガイド部から離間させることができる。その結果、シートが第１ガイド部に貼り付く可能性を低くすることができる。
【００１５】
仮に、第２コロが第１ガイド部の下部に配置されている場合について説明する。この場合、シートの先端が第２コロを通過して第１ガイド部に当接すると、シートは、先端と傾斜部に当接した部分との間において、第１ガイド部から離間した状態となる。その結果、シートは、第２コロから離間されてしまう。また、仮に、第２コロが第１ガイド部の上部に配置されている場合について説明する。この場合、シートの先端が第２コロを通過して第２ガイド部に当接すると、シートは、先端と第１ガイド部に当接した部分との間において、第１ガイド部から離間した状態となる。その結果、シートは、第２コロから離間されてしまう。しかし、上述したように、本構成によれば、第２コロが第１ガイド部の中央部に配置されているため、シートが第２コロから離間されてしまう可能性を低くすることができる。
【００１６】
(3)  上記第２コロは、上記回転軸方向に沿って間隔を空けて複数設けられている。上記第２コロの上記回転軸方向における中央の位置は、上記第１コロの上記回転軸方向における中央の位置と異なる。
【００１７】
複数のコロが回転軸方向に沿って間隔を空けて複数設けられている場合、これらのコロと当接しているシートは、回転軸方向に沿って波打ってしまうおそれがある。しかし、本構成によれば、第１コロと第２コロの回転軸方向の位置が異なるため、シートの回転軸方向に沿った波打ちを軽減することができる。
【００１８】
(4)  複数の上記第２コロのうちの少なくとも一部の上記第２コロは、その上記回転軸方向の両端部の少なくとも一方の位置が上記第１コロの上記回転軸方向の端部と重なるように配置されている。
【００１９】
このように、第２コロと第１コロとが重なるように配置されることにより、シートの回転軸方向に沿った波打ちを（３）よりも更に軽減することができる。
【００２０】
(5)  本発明の給送装置は、上記内側案内部材に回転可能に取り付けられており、上記第３ガイド部において最も上記第１向き側の頂点部から上記搬送路に露出しており、給送されるシートと当接することによって回転される第３コロを更に備える。上記頂点部は、上記第２コロの回転中心よりも上方に位置している。上記第３コロの回転中心と上記第２コロの回転中心との距離は、上記第３コロの回転中心と上記搬送ローラの回転中心との距離よりも短い。
【００２１】
本構成によれば、以下に詳述するように、シートが第３ガイド部に貼り付く可能性を低くすることができる。
【００２２】
シートの先端が第１ガイド部を通過して第２ガイド部に当接した場合、シートの先端近傍は第２ガイド部から離間した状態である。この状態で、シートが更に搬送ローラに向けて案内されると、シートは、先端からシートの案内向きの上流側である程、第２ガイド部からの離間距離が大きくなる。これは、第２ガイド部が湾曲しているためである。離間距離浮きが大きくなると、シートは、外側案内部材と対向されて配置されている内側案内部材の第３ガイド部に当接する。
【００２３】
ここで、本構成では、第３ガイド部の頂点部は、第２コロが配置された第１ガイド部の中央部よりも上方に位置している。また、第３ガイド部の頂点部は最も第１向き側である。よって、本構成では、第３ガイド部の頂点部は、第２ガイド部と対向する位置に最も近い位置となる。以上より、第２ガイド部からの離間距離が大きくなったシートは、第３ガイド部の頂点部に配置された第３コロと当接する。その結果、シートが第３ガイド部に貼り付く可能性を低くすることができる。
【００２４】
また、本構成によれば、第３コロの回転中心と搬送ローラの回転中心との距離は、第３コロの回転中心と第２コロの回転中心との距離よりも長い。そのため、第３コロに当接したシートは、第３コロによって湾曲されやすい。これにより、シートを円滑に搬送ローラに導くことができる。
【００２５】
また、本構成によれば、第３コロは、第３ガイド部の頂点部から搬送路に露出しているため、周面を長く露出させることができる。これにより、シートが第３コロに当接しやすくなる。
【００２６】
(6)  上記第１コロは、上記第１コロの回転軸方向に沿って間隔を空けて複数設けられている。これにより、第１コロの大型化を防止することができる。
【００２７】
(7)  上記第１コロは、上記給送ローラによって第１向きに給送されるシートの上記回転軸方向の端から外れる位置に配置される。
【００２８】
給送されるシートの回転軸方向の端が第１コロに当接した場合に当該シートが詰まる可能性は、給送されるシートの回転軸方向の端以外が第１コロに当接した場合に当該シートが詰まる可能性よりも高い。これは、例えば、シートの回転軸方向の端がカールしていると、当該カールによって端が第１コロと衝突するおそれがあるためである。よって、本構成によれば、シートが搬送路において詰まる可能性を低くすることができる。
【００２９】
また、シートと第１コロとが当接する位置が、シートの回転軸方向の中央から離れている程、当該シートは搬送路において斜行し易くなる。よって、第１コロが搬送路を給送ローラによって給送されるシートの回転軸方向の端から外れる位置に配置されている本構成においては、シートが搬送路において斜行する可能性を低くすることができる。
【００３０】
(8)  上記第１コロは、上記傾斜部に取り付けられている。
【００３１】
第１コロは、傾斜部の上端よりも下方且つ第１ガイド部の下端よりも上方において、搬送路に露出するように配置されている。よって、第１コロを取り付けるのに好適な対象として、傾斜部及び外側案内部材が考えられる。ここで、傾斜部は第１ガイド部よりも搬送路に近い位置に配置されている。よって、第１コロが傾斜部に取り付けられる場合、第１コロの搬送路に対する取り付け位置の精度を高くすることができる。
【００３２】
(9)  上記傾斜部には、上記トレイに載置される複数のシートを分離する分離部が配置されている。上記第１コロは、上記第１コロの回転軸方向において上記分離部から離れて配置され、且つ上記傾斜部の傾斜向きにおいて上記分離部の上端の位置を含むように配置されている。上記傾斜向きと上記回転軸方向とに直交する突出向きへの上記第１コロの露出量は、上記突出向きへの上記分離部の上端の露出量よりも大きい。
【００３３】
トレイに載置された最上位のシートが給送ローラによって給送されて傾斜部を乗り越える際、上記最上位のシートは分離部の影響を受けずに乗り越えることができる。一方で、上記最上位のシートの下側に載置されたシートが上記最上位のシートと共に重送される場合について説明する。この場合、当該下側に載置されたシートが分離部によって分離されなかったとしても、当該下側に載置されたシートは、第１コロを乗り越えるときにエネルギーが必要となる。そのため、本構成によれば、当該下側に載置されたシートが上記最上位のシートから分離される可能性を高くすることができる。
【００３４】
(10)  本発明は、（１）から（９）のいずれかに記載の給送装置と、上記搬送ローラによって搬送されるシートに画像を記録する記録部と、を備える画像記録装置として捉えることもできる。
【発明の効果】
【００３５】
本発明によれば、シートが傾斜部、第１ガイド部、第２ガイド部、及び第３ガイド部に貼り付いてしまう可能性を低くすることができる。その結果、本発明によれば、湾曲された搬送路に沿ってシートを円滑に案内することができる。
【図面の簡単な説明】
【００３６】
【図１】図１は、複合機１０の斜視図である。
【図２】図２は、プリンタ部１１の内部構造を模式的に示す縦断面図である。
【図３】図３は、傾斜部７２及び外側ガイド部材１８の斜視図である。
【図４】図４は、プリンタ部１１の内部構造を模式的に示す縦断面図であり、記録用紙１２の搬送向きの先端が傾斜面７３と当接している状態が示されている。
【図５】図５は、プリンタ部１１の内部構造を模式的に示す縦断面図であり、記録用紙１２の搬送向きの先端が第２コロ９２と当接している状態が示されている。
【図６】図６は、プリンタ部１１の内部構造を模式的に示す縦断面図であり、記録用紙１２の搬送向きの先端が第２ガイド面９５と当接している状態が示されている。
【図７】図７は、プリンタ部１１の内部構造を模式的に示す縦断面図であり、記録用紙１２の搬送向きの先端が第１ローラ対５８に挟持されている状態が示されている。
【図８】図８は、傾斜部７２を模式的に示す縦断面図である。
【図９】図９は、変形例１における傾斜部７２及び外側ガイド部材１８を模式的に示す正面図である。
【図１０】図１０は、変形例２におけるプリンタ部１１の内部構造を模式的に示す縦断面図である。
【発明を実施するための形態】
【００３７】
以下、本発明の実施形態について説明する。なお、以下に説明される実施形態は本発明の一例にすぎず、本発明の要旨を変更しない範囲で、本発明の実施形態を適宜変更できることは言うまでもない。また、以下の説明では、矢印の起点から終点に向かう進みが向きと表現され、矢印の起点と終点とを結ぶ線上の往来が方向と表現される。また、以下の説明では、複合機１０が使用可能に設置された状態（図１の状態）を基準として上下方向７が定義され、開口１３が設けられている側を手前側（正面）として前後方向８が定義され、複合機１０を手前側（正面）から見て左右方向９が定義される。
【００３８】
［複合機１０の全体構成］
図１に示されるように、本発明の画像記録装置の一例である複合機１０は、概ね直方体に形成されており、インクジェット記録方式のプリンタ部１１を備えている。複合機１０は、ファクシミリ機能及びプリント機能などの各種の機能を有している。
【００３９】
プリンタ部１１は、正面に開口１３が形成された筐体１４を有している。また、給紙トレイ２０（本発明のトレイの一例）及び排紙トレイ２１が、開口１３から前後方向８に挿抜可能である。給紙トレイ２０には、Ａ４サイズやＢ５サイズ等の所望のサイズの記録用紙１２（本発明のシートの一例）が載置される。
【００４０】
図２に示されるように、プリンタ部１１は、給送装置６（本発明の給送装置の一例）と、記録用紙１２に画像を記録するインクジェット記録方式の記録部２４（本発明の記録部の一例）などを備えている。給送装置６は、給紙トレイ２０、給紙ローラ２５、傾斜板７２、外側ガイド部材１８、内側ガイド部材５３、第１搬送ローラ６０、第１コロ９１、第２コロ９２、及び第３コロ９３を備えている。
【００４１】
［給紙トレイ２０］
図２に示されるように、給紙トレイ２０は、プリンタ部１１に挿入された状態において、後述する記録部２４の下側に配置されている。給紙トレイ２０は、上方が開放された箱形に概ね形成されている。
【００４２】
給紙トレイ２０がプリンタ部１１に装着されているとき、給紙部１５は、給紙トレイ２０に載置された記録用紙１２を搬送路６５（本発明の搬送路の一例）へ給送可能である。給紙トレイ２０から搬送路６５へ給送された記録用紙１２は、記録部２４によって画像が記録された後に排紙トレイ２１の上面に排出される。一方、給紙トレイ２０がプリンタ部１１から抜かれているとき、給紙部１５は、給紙トレイ２０に載置された記録用紙１２を搬送路６５へ給送不可能である。
【００４３】
［給紙部１５］
図２に示されるように、給紙トレイ２０の上側には、給紙部１５が設けられている。給紙部１５は、給紙ローラ２５（本発明の給送ローラの一例）、給紙アーム２６、駆動伝達機構２７、及び軸２２を備えている。給紙ローラ２５は、軸２２を中心として矢印１９の方向に回動する給紙アーム２６の回動先端に軸支されている。給紙ローラ２５は、給紙用モータ（不図示）の駆動力が駆動伝達機構２７を介して伝達されて回転する。ここで、駆動伝達機構２７は、例えば複数のギヤが噛合された構成である。給紙ローラ２５は、給紙トレイ２０上に積載された記録用紙１２を第１向き１７（本発明の第１向きの一例）に搬送する。本実施形態において、第１向き１７は後向きであり、図２に破線の矢印で示された向きである。以上より、給紙ローラ２５は、給紙トレイ２０に載置された記録用紙１２を第１向き１７に給送する。
【００４４】
［傾斜板７２］
図２に示されるように、プリンタ部１１に装着された給紙トレイ２０の後側、つまり給紙ローラ２５よりも第１向き１７の下流側には、傾斜板７２（本発明の傾斜部の一例）が設けられている。
【００４５】
図２及び図３に示されるように、傾斜板７２の前側には、プリンタ部１１の底部から後方斜め上向きに立設された傾斜面７３が形成されている。つまり、傾斜板７２は、第１向き１７且つ上方に傾斜している。傾斜面７３は、記録用紙１２を搬送路６５（図２参照）へ案内する役割を担う。図３及び図８に示されるように、傾斜面７３の中央には、傾斜面７３から突出された複数の分離歯７４（本発明の分離部の一例）が上下方向７に並んで配置されている。つまり、給紙トレイ２０から複数の記録用紙１２が、分離歯７４に当接することによって各記録用紙１２が分離される。さらに、最上位の記録用紙１２だけが傾斜面７３によって上方の搬送路６５へ案内される。なお、傾斜面７３は、例えば複数のリブの頂部から構成されていてもよい。また、分離歯７４の代わりに、記録用紙１２に対して摩擦係数が十分に大きい樹脂などを用いてもよい。
【００４６】
図３に示されるように、傾斜板７２の上端部には、４個の第１コロ９１（本発明の第１コロの一例）が取り付けられている。なお、本実施形態では、第１コロ９１が４個設けられているが、第１コロ９１の数は４個に限らない。
【００４７】
４個の第１コロ９１は、左右方向９（本発明の回転軸方向の一例）に沿って間隔を空けて複数設けられている。以下に詳述する。傾斜面７３の上端部には、４個の開口８１が形成されている。各開口８１は、左右方向９において、相互に間隔を空けて形成されている。各開口８１の後側には、第１コロ９１の軸８２が左右方向９に沿って配置されている。各軸８２の左右方向９の中央部には、第１コロ９１が、軸８２と一体回転可能に取り付けられている。また、各開口８１の後側には、軸８２を回転可能に支持する支持部材８３が設けられている。支持部材８３は、各開口８１の左右両端部に設けられている。つまり、支持部材８３は、各開口８１について２個設けられている。なお、図３には、支持部材８３は各開口８１について１つのみ記されており、他の１つは傾斜面７３の背後に隠れている。各軸８２は、第１コロ９１が２つの支持部材８３の間に位置するように、２つの支持部材８３によって回転可能に支持される。
【００４８】
上記のように軸８２が支持部材８３に支持された状態において、第１コロ９１の一部は、図２及び図８に示されるように、傾斜面７３から前側に突出された状態となる。つまり、第１コロ９１の周面の一部は、傾斜板７２から搬送路６５に向かって露出された状態となる。これにより、第１コロ９１は、給紙部１５により搬送路６５に給送された記録用紙１２と当接することによって回転される。
【００４９】
図８に示されるように、傾斜面７３の傾斜向き７５（本発明の傾斜向きの一例）と左右方向９とに直交する突出向き７６（本発明の突出向きの一例）への第１コロ９１の露出量Ａは、突出向き７６への分離歯７４の上端の露出量Ｂよりも大きい。なお、傾斜向き７５は、傾斜面７３に沿う向きである。つまり、傾斜向き７５は、第１向き１７且つ上方へ向かう向きである。
【００５０】
各第１コロ９１の左右方向９の配置位置は、給紙ローラ２５によって第１向き１７に給送される記録用紙１２の左右方向９の端から外れる位置である。ここで、記録用紙１２の左右方向９の端とは、所定サイズの記録用紙１２が給紙トレイ２０に載置されている場合の、当該記録用紙１２の左端及び右端である。つまり、第１向き１７と直交する方向における各端である。ここで、上記所定サイズは、複合機１０において給紙トレイ２０に載置可能であり且つ記録部２４によって画像記録可能なサイズとして予め設定された定型サイズであり、例えばＡ４やＢ５といったサイズである。
【００５１】
また、図３に示されるように、各第１コロ９１の左右方向９の配置位置は、分離歯７４の左右方向９の配置位置とは異なる位置である。つまり、第１コロ９１は、左右方向９において分離歯７４から離れて配置されている。
【００５２】
また、図８に示されるように、分離歯７４の内、最上位に位置する分離歯７４Ａの上下方向７の配置位置は、各第１コロ９１の上端９１Ａよりも下側で、且つ各第１コロ９１の下端９１Ｂよりも上側である。つまり、第１コロ９１は、傾斜板７２の傾斜向き７５において分離歯７４の上端の位置を含むように配置されている。
【００５３】
［搬送路６５］
図２に示されるように、複合機１０には、搬送路６５が形成されている。搬送路６５は、給紙トレイ２０の後端部から傾斜面７３を経て上方且つ複合機１０の正面側へ曲がり、記録部２４の下側を通過して排紙トレイ２１へ通じている。給紙ローラ２５によって第１向き１７に給送されて傾斜面７３を通過した記録用紙１２は、搬送路６５を搬送向きに案内される。ここで、搬送向きは、図２に一点鎖線で示された矢印の向きである。
【００５４】
搬送路６５は、外側ガイド部材１８（本発明の外側案内部材の一例）と内側ガイド部材５３（本発明の内側案内部材の一例）とによって形成されている。外側ガイド部材１８と内側ガイド部材５３とは、記録部２４よりも搬送向きの上流側において間隔を隔てて互いに対向するように配置されている。つまり、外側ガイド部材１８と内側ガイド部材５３とは、搬送路６５の一部を形成している。また、搬送路６５は、記録部２４よりも搬送向きの下流側において間隔を隔てて互いに対向する上側ガイド部材５４と下側ガイド部材５５とによって形成されている。つまり、上側ガイド部材５４と下側ガイド部材５５とは、搬送路６５の一部を形成している。なお、外側ガイド部材１８、内側ガイド部材５３、上側ガイド部材５４、及び下側ガイド部材５５は、図２における紙面に垂直な方向、つまり左右方向９に延びている。また、外側ガイド部材１８及び内側ガイド部材５３については、後に詳細に説明される。
【００５５】
［外側ガイド部材１８］
本実施形態において、外側ガイド部材１８は、図３に示されるように、上下方向７及び左右方向９に延びる部材である。図２及び図３に示されるように、外側ガイド部材１８の前側には、第１ガイド面９４（本発明の第１ガイド部の一例）と第２ガイド面９５（本発明の第２ガイド部の一例）とが形成されている。第１ガイド面９４は、上下方向７に沿って延設されている。第２ガイド面９５は、第１ガイド面９４と連続しており上向きから第２向き１６（本発明の第２向きの一例）に向けて湾曲して形成されている。本実施形態において、第２向き１６は前向きであり、図２に破線の矢印で示された向きである。なお、第２向き１６は、第１向き１７とは反対の向きである。
【００５６】
記録用紙１２は、記録部２４よりも搬送向きの上流側の搬送路６５を搬送される際、第１ガイド面９４及び第２ガイド面９５に案内、つまりガイドされる。つまり、外側ガイド部材１８は、搬送路６５を通る記録用紙１２をガイドする。なお、本実施形態では、第１ガイド面９４及び第２ガイド面９５が搬送路６５を搬送される記録用紙１２をガイドするが、記録用紙１２をガイドするのはガイド面でなくてもよい。例えば、ガイド面の代わりに、外側ガイド部材１８が左右方向９に間隔を空けて搬送向きに沿って延設された複数のリブを構成する。そして、給紙部１５によって給送される記録用紙１２が当該複数のリブによってガイドされてもよい。この場合、複数のリブが、本発明の第１ガイド部及び第２ガイド部の一例である。
【００５７】
図２及び図３に示されるように、外側ガイド部材１８の第１ガイド面９４は、傾斜板７２の後側において、傾斜板７２の上端よりも下側まで延びている。つまり、傾斜板７２の上端は、第１ガイド面９４の下端よりも上方に位置している。また、傾斜板７２は、第１ガイド面９４の下端よりも上方において、第１ガイド面９４よりも前側に位置している。
【００５８】
また、図２に示されるように、第１コロ９１は、その軸８２、つまり回転中心８２が第１ガイド面９４の下端よりも上方に位置するように配置されている。また、第１コロ９１は、その軸８２が傾斜板７２に回転可能に支持されている。以上より、第１コロ９１の軸８２は、傾斜板７２の上端よりも下方且つ第１ガイド面９４の下端よりも上方に配置されている。
【００５９】
また、図３に示されるように、外側ガイド部材１８には、４個の第２コロ９２（本発明の第２コロの一例）が取り付けられている。なお、本実施形態では、第２コロ９２が４個設けられているが、第２コロ９２の数は４個に限らない。
【００６０】
図３に示されるように、４個の第２コロ９２は、左右方向９に沿って間隔を空けて複数設けられている。以下に詳述する。第１ガイド面９４の上下方向７の中央部には、４個の開口９７が形成されている。各開口９７は、左右方向９において、相互に間隔を空けて形成されている。各開口９７の後側には、第２コロ９２の軸９８が左右方向９に沿って配置されている。各軸９８の左右方向９の中央部には、第２コロ９２が、軸９８と一体回転可能に取り付けられている。また、各開口９７の後側には、軸９８を回転可能に支持する支持部材９９が設けられている。支持部材９９は、各開口９７の左右両端部に設けられている。つまり、支持部材９９は、各開口９７について２個設けられている。なお、図３には、支持部材９９は各開口９７について１つのみ記されており、他の１つは第１ガイド面９４の背後に隠れている。各軸９８は、第２コロ９２が２つの支持部材９９の間に位置するように、２つの支持部材９９によって回転可能に支持される。
【００６１】
上記のように軸９８が支持部材９９に支持された状態において、第２コロ９２の一部は、第１ガイド面９４から前側に突出された状態となる。つまり、第２コロ９２の周面の一部は、第１ガイド面９４から搬送路６５に向かって露出された状態となる。これにより、第２コロ９２は、給紙部１５により搬送路６５に給送された記録用紙１２と当接することによって回転される。
【００６２】
図３に示されるように、第２コロ９２の左右方向９における中央の位置７７は、第１コロ９１の左右方向９における中央の位置７８と異なる位置である。なお、本実施形態では、左右方向９における第２コロ９２が配置されている領域には、第１コロ９１が配置されていない。
【００６３】
［内側ガイド部材５３］
本実施形態において、内側ガイド部材５３は、左右方向９に延び且つ上下方向７に湾曲しながら延びた部材である。内側ガイド部材５３の後側には、第３ガイド面８４（本発明の第３ガイド部の一例）が形成されている。第３ガイド面８４は、側面視で、後側を頂点部８５（図２参照、本発明の頂点部の一例）とした概ね半円状の湾曲面として形成されている。第３ガイド面８４は、第１ガイド面９４及び第２ガイド面９５と対向している。
【００６４】
記録用紙１２は、記録部２４よりも搬送向きの上流側の搬送路６５を搬送される際、第３ガイド面８４に案内、つまりガイドされる。つまり、内側ガイド部材５３は、搬送路６５を通る記録用紙１２をガイドする。なお、本実施形態では、第３ガイド面８４が搬送路６５を搬送される記録用紙１２をガイドするが、記録用紙１２をガイドするのはガイド面でなくてもよい。例えば、ガイド面の代わりに、内側ガイド部材５３が左右方向９に間隔を空けて搬送向きに沿って延設された複数のリブを構成する。そして、給紙部１５によって給送された記録用紙１２が当該複数のリブによってガイドされてもよい。この場合、複数のリブが、本発明の第３ガイド部の一例である。
【００６５】
また、図２に示されるように、内側ガイド部材５３には、第３コロ９３（本発明の第３コロの一例）が取り付けられている。本実施形態では、第３コロ９３は複数設けられている。各第３コロ９２は、左右方向９に間隔を空けて配置されている。なお、第３コロ９２の数は１つでもよい。
【００６６】
第３コロ９３は、第１コロ９１が傾斜板７２に支持され、第２コロ９２が外側ガイド部材１８に支持されるのと同様にして、内側ガイド部材５３に回転可能に取り付けられる。これにより、第３コロ９３の一部は、内側ガイド部材５３に設けられた開口（不図示）から後側に突出された状態となる。つまり、第３コロ９３の周面の一部は、第３ガイド面８４から搬送路６５に向かって露出された状態となる。これにより、第３コロ９３は、給紙部１５によって搬送路６５に給送された記録用紙１２と当接することによって回転される。
【００６７】
上記の開口は、湾曲された第３ガイド面８４の頂点部８５、つまり第３ガイド面８４の後端部に形成されている。これにより、第３コロ９３の周面の一部は、第３ガイド面８４において最も後側、つまり第１向き１７の最下流側の頂点部８５から搬送路６５に露出される。また、第３ガイド面８４の頂点部８５の位置は、第２コロ９２の軸９８、つまり第２コロ９２の回転中心の位置よりも上方である。
【００６８】
また、第３コロ９３の軸１００つまり第３コロ９３の回転中心と、第２コロ９２の軸９８つまり第２コロ９２の回転中心との距離Ｃは、第３コロ９３の軸１００と、第１搬送ローラ６０の軸１０１つまり第１搬送ローラ６０の回転中心との距離Ｄよりも短い。
【００６９】
［記録部２４］
図２に示されるように、記録部２４は、記録ヘッド３８を搭載して主走査方向（図２の紙面に垂直な左右方向９）へ往復移動するキャリッジ４０を備えている。記録ヘッド３８には、インクカートリッジ（不図示）からインクが供給される。キャリッジ４０が主走査方向へ往復移動しているときに、記録ヘッド３８は、下面に形成された複数のノズル３９から、インクを吐出する。これにより、搬送路６５の下方に記録部２４と対向して設けられているプラテン４２に支持され、搬送路６５を搬送される記録用紙１２に画像が記録される。
【００７０】
［第１ローラ対５８、第２ローラ対５９、及び第３ローラ対４４］
図２に示されるように、記録部２４より第１向き１７の上流側であって外側ガイド部材１８及び内側ガイド部材５３より第２向き１６の下流側には、第１ローラ対５８が設けられている。第１ローラ対５８は、第１搬送ローラ６０（本発明の搬送ローラの一例）とピンチローラ６１とを備える。第１搬送ローラ６０は、搬送路６５の上側に配置される。ピンチローラ６１は、搬送路６５の下側に配置される。また、ピンチローラ６１は、図示しないバネなどの弾性部材によって第１搬送ローラ６０のローラ面に圧接されている。第１ローラ対５８は、給紙部１５によって給送されてきた記録用紙１２を挟持して前側（搬送向きまたは第２向き１６の下流側）に位置するプラテン４２上へ送る。つまり、第１搬送ローラ６０は、給紙ローラ２５によって給送されて第２ガイド面９５及び第３ガイド面８４を通過する記録用紙１２を第２向き１６に搬送する。
【００７１】
記録部２４より第１向きの下流側には、第２ローラ対５９が設けられている。第２ローラ対５９は、第２搬送ローラ６２と拍車６３とを備える。第２搬送ローラ６２は、搬送路６５の下側に配置される。拍車６３は、搬送路６５の上側に配置される。ピンチローラ６１と同様、拍車６３は第２搬送ローラ６２に圧接されている。第２ローラ対５９は、第１ローラ対５８から搬送されてきた記録用紙１２を挟持して、搬送向き下流側へ搬送する。
【００７２】
第１搬送ローラ６０及び第２搬送ローラ６２は、搬送用モータ（不図示）から正逆回転方向の駆動力が伝達されて、正転及び逆転する。例えば、第１搬送ローラ６０及び第２搬送ローラ６２は、搬送用モータから正転方向の駆動力が伝達された場合、記録用紙を搬送向きへ搬送する方向へ回転される。また、第１搬送ローラ６０及び第２搬送ローラ６２は、搬送用モータから逆転方向の駆動力が伝達された場合、記録用紙を搬送向きと逆向きへ搬送する方向へ回転される。
【００７３】
［記録用紙１２の搬送］
以下、給紙トレイ２０に載置された記録用紙１２が、給紙ローラ２５によって給送されてから、第１搬送ローラ６０に到達するまでの、当該記録用紙１２の搬送路６５における位置について図４〜図７に基づいて説明する。
【００７４】
給紙トレイ２０に載置された記録用紙１２は、給紙ローラ２５が回転することによって、第１向き１７（後向き）に搬送される。これにより、記録用紙１２の搬送向きの先端は、傾斜面７３と当接し、傾斜面７３に沿って後方斜め上向きに案内される（図４参照）。
【００７５】
その後、記録用紙１２の搬送向きの先端は、第１コロ９１に当接する。これにより、第１コロ９１は回転し、記録用紙１２は、搬送路６５を搬送向きに円滑に搬送される。
【００７６】
そして、記録用紙１２の搬送向きの先端は、第１コロ９１を通過すると、傾斜面７３に当接することなく第１ガイド面９４に当接し、第１ガイド面９４に沿って上向きに案内される。これは、第１コロ９１は傾斜面７３の最上端部に形成されているためである。
【００７７】
その後、記録用紙１２の搬送向きの先端は、第２コロ９２に当接する（図５参照）。これにより、第１コロ９１は回転し、記録用紙１２は、搬送路６５を搬送向きに円滑に搬送される。
【００７８】
次に、記録用紙１２の搬送向きの先端は、第２ガイド面９５に当接し、第２ガイド面９５に沿って第２ガイド面９５の湾曲向きに案内される。これにより、記録用紙１２は、搬送向きの先端と第２コロ９２に当接している部分との間において、第２ガイド面９５から離間される。その結果、記録用紙１２は、第３コロ９３に当接する（図６参照）。これにより、第３コロ９３は回転し、記録用紙１２は、搬送路６５を搬送向きに円滑に搬送される。
【００７９】
その後、記録用紙１２の搬送向きの先端は、第１搬送ローラ６０に到達し、第１ローラ対５８によって挟持される（図７参照）。
【００８０】
［実施形態の作用効果］
本実施形態の場合、給紙トレイ２０から給紙ローラ２５によって給送された記録用紙１２の先端は、第１コロ９１に当接する。これにより、記録用紙１２は、第１コロ９１によって円滑に搬送路６５を案内される。ここで、第１コロ９１の軸８２は、傾斜板７２の上端よりも下方且つ第１ガイド面９４の下端よりも上方、つまり傾斜板７２の最上端部に配置されている。よって、第１コロ９１を通過した記録用紙１２の搬送向きの先端が傾斜板７２の傾斜面７３に当接することを抑制できる。したがって、本実施形態によれば、第１コロ９１を通過した記録用紙１２が、その搬送向きの先端と未だ給紙トレイ２０に載置されている部分との間において、第１コロ９１から離間する可能性を低くすることができる。
【００８１】
また、本実施形態の場合、第１ガイド面９４の下端よりも上方の傾斜板７２は、第１ガイド面９４よりも前側に位置している。これにより、第１コロ９１を通過した記録用紙１２の先端が第１ガイド面９４に当接するまでの間に、当該記録用紙１２は給紙ローラ２５によってある程度の距離を給送されることになる。これにより、当該記録用紙１２が第１ガイド面９４に当接した際、当該記録用紙１２の撓みは大きくなっている。すると、大きく撓んだ当該記録用紙１２は、第１コロ９１に当接する。以上より、記録用紙１２が傾斜板７２の傾斜面７３や第１ガイド面９４に貼り付く可能性を低くすることができる。
【００８２】
また、本実施形態によれば、第２コロ９２が第１ガイド面９４の上下方向７の中央部に配置されているため、記録用紙１２を第１ガイド面９４から離間させることができる。その結果、記録用紙１２が第１ガイド面９４に貼り付く可能性を低くすることができる。
【００８３】
仮に、第２コロ９２が第１ガイド面９４の下部に配置されている場合について説明する。この場合、記録用紙１２の先端が第２コロ９２を通過して第１ガイド面９４に当接すると、記録用紙１２は、先端と傾斜板７２の傾斜面７３に当接した部分との間において、第１ガイド面９４から離間した状態となる。その結果、記録用紙１２は、第２コロ９２から離間されてしまう。また、仮に、第２コロ９２が第１ガイド面９４の上部に配置されている場合について説明する。この場合、記録用紙１２の先端が第２コロ９２を通過して第２ガイド面９５に当接すると、記録用紙１２は、先端と第１ガイド面９４に当接した部分との間において、第１ガイド面９４から離間した状態となる。その結果、記録用紙１２は、第２コロ９２から離間されてしまう。しかし、本実施形態によれば、第２コロ９２が第１ガイド面９４の中央部に配置されているため、記録用紙１２が第２コロ９２から離間されてしまう可能性を低くすることができる。
【００８４】
複数のコロが左右方向９に沿って間隔を空けて複数設けられている場合、これらのコロと当接している記録用紙１２は、左右方向９に沿って波打ってしまうおそれがある。しかし、本実施形態によれば、第１コロ９１と第２コロ９２の左右方向９の位置が異なるため、記録用紙１２の左右方向９に沿った波打ちを軽減することができる。
【００８５】
また、本実施形態によれば、以下に詳述するように、記録用紙１２が第３ガイド面８４に貼り付く可能性を低くすることができる。
【００８６】
記録用紙１２の先端が第１ガイド面９４を通過して第２ガイド面９５に当接した場合、記録用紙１２の先端近傍は第２ガイド面９５から離間した状態である。この状態で、記録用紙１２が更に第１搬送ローラ６０に向けて案内されると、記録用紙１２は、先端から記録用紙１２の搬送向きの上流側である程、第２ガイド面９５からの離間距離が大きくなる。これは、第２ガイド面９５が湾曲しているためである。離間距離が大きくなると、記録用紙１２は、外側ガイド部材１８と対向されて配置されている内側ガイド部材５３の第３ガイド面８４に当接する。
【００８７】
ここで、本実施形態では、第３ガイド面８４の頂点部８５は、第２コロ９２が配置された第１ガイド面９４の中央部よりも上方に位置している。また、第３ガイド面８４の頂点部８５は最も後側である。よって、本実施形態では、第３ガイド面８４の頂点部８５は、第２ガイド面９５と対向する位置に最も近い位置となる。以上より、第２ガイド面９５からの離間距離が大きくなった記録用紙１２は、第３ガイド面８４の頂点部８５に配置された第３コロ９３と当接する。その結果、記録用紙１２が第３ガイド面８４に貼り付く可能性を低くすることができる。
【００８８】
また、本実施形態によれば、第３コロ９３の軸１００と第１搬送ローラ６０の軸１０１との距離Ｄは、第３コロ９３の軸１００と第２コロ９２の軸９８との距離Ｃよりも長い。そのため、第３コロ９３に当接した記録用紙１２は、第３コロ９３によって湾曲されやすい。これにより、記録用紙１２を円滑に第１搬送ローラ６０に導くことができる。
【００８９】
また、本実施形態によれば、第３コロ９３は、第３ガイド面８４の頂点部８５から搬送路６５に露出しているため、周面を長く露出させることができる。これにより、記録用紙１２が第３コロ９３に当接しやすくなる。
【００９０】
また、本実施形態によれば、第１コロ９１は、左右方向９に沿って間隔を空けて複数設けられている。これにより、第１コロ９１の大型化を防止することができる。
【００９１】
また、給送される記録用紙１２の左右方向９の端が第１コロ９１に当接した場合に当該記録用紙１２が詰まる可能性は、給送される記録用紙１２の左右方向９の端以外が第１コロ９１に当接した場合に当該記録用紙１２が詰まる可能性よりも高い。これは、例えば、記録用紙１２の左右方向９の端がカールしていると、当該カールによって端が第１コロ９１と衝突するおそれがあるためである。よって、本実施形態によれば、記録用紙１２が搬送路６５において詰まる可能性を低くすることができる。
【００９２】
また、記録用紙１２と第１コロ９１とが当接する位置が、記録用紙１２の左右方向９の中央から離れている程、当該記録用紙１２は搬送路６５において斜行し易くなる。よって、第１コロ９１が記録用紙１２の左右方向９の端から外れる位置に配置されている本実施形態においては、記録用紙１２が搬送路６５において斜行する可能性を低くすることができる。
【００９３】
また、本実施形態によれば、第１コロ９１は、傾斜板７２の上端よりも下方且つ第１ガイド面９４の下端よりも上方において、搬送路６５に露出するように配置されている。よって、第１コロ９１を取り付けるのに好適な対象として、傾斜板７２及び外側ガイド部材１８が考えられる。ここで、傾斜板７２は第１ガイド面９４よりも搬送路６５に近い位置に配置されている。よって、第１コロ９１が傾斜板７２に取り付けられる場合、第１コロ９１の搬送路６５に対する取り付け位置の精度を高くすることができる。
【００９４】
上述の実施形態では、給紙トレイ２０に載置された最上位の記録用紙１２が給紙ローラ２５によって給送されて傾斜板７２を乗り越える際、上記最上位の記録用紙１２は分離歯７４の影響を受けずに乗り越えることができる。一方で、上記最上位の記録用紙１２の下側に載置された記録用紙１２が上記最上位の記録用紙１２と共に重送される場合について説明する。この場合、当該下側に載置された記録用紙１２が分離歯７４によって分離されなかったとしても、当該下側に載置された記録用紙１２は、分離歯７４よりも突出された第１コロ９１を乗り越えるときにエネルギーが必要となる。そのため、本実施形態によれば、当該下側に載置された記録用紙１２が上記最上位の記録用紙１２から分離される可能性を高くすることができる。
【００９５】
以上より、本実施形態によれば、記録用紙１２が傾斜面７３、第１ガイド面９４、第２ガイド面９５、及び第３ガイド面８４に貼り付いてしまう可能性を低くすることができる。その結果、湾曲された搬送路６５に沿って記録用紙１２を円滑に案内できる。
【００９６】
［実施例の変形例１］
上述の実施形態では、図３に示されるように、第２コロ９２の左右方向９における中央の位置７７は、第１コロ９１の左右方向９における中央の位置７８と異なる位置である。また、左右方向９において第２コロ９２が配置されている領域には、第１コロ９１が配置されていない。しかし、複数の第２コロ９２のうちの少なくとも一部の第２コロ９２は、左端部または右端部の少なくとも一方の位置が、第１コロ９１の左端部または右端部と重なるように配置されていてもよい。
【００９７】
例えば、図９に示されるように、４つの第１コロ９１Ａ〜９１Ｄと４つの第２コロ９２Ａ〜９１Ｄとの左右端部が、左右方向９において、重なるように配置されていてもよい。詳細には、図９では、第１コロ９１Ａ、９１Ｂの左端部８６が第２コロ９２Ａ、９２Ｂの右端部８７よりも左側に位置している。また、第１コロ９１Ｃ、９１Ｄの右端部８８が第２コロ９２Ｃ、９２Ｄの左端部８９よりも右側に位置している。
【００９８】
変形例１のように、第２コロ９２と第１コロ９１とが重なるように配置されることにより、記録用紙１２の左右方向９に沿った波打ちを上述の実施形態よりも更に軽減することができる。
【００９９】
［実施例の変形例２］
上述の実施形態では、第１コロ９１が傾斜板７２に取り付けられていたが、図１０に示されるように、第１コロ９１は外側ガイド部材１８に取り付けられていてもよい。なお、変形例２の場合でも、上述の実施形態と同様に、第１コロ９１の周面の一部は、傾斜面７３から前側に突出された状態となる（図１０参照）。
【符号の説明】
【０１００】
１０・・・複合機
１２・・・記録用紙
１８・・・外側ガイド部材
２０・・・給紙トレイ
２４・・・記録部
２５・・・給紙ローラ
５３・・・内側ガイド部材
６０・・・第１搬送ローラ
６５・・・搬送路
７２・・・傾斜板
８４・・・第３ガイド面
９１・・・第１コロ
９４・・・第１ガイド面
９５・・・第２ガイド面
【図１】
0005903857.tif 000002
【図２】
0005903857.tif 000003
【図３】
0005903857.tif 000004
【図４】
0005903857.tif 000005
【図５】
0005903857.tif 000006
【図６】
0005903857.tif 000007
【図７】
0005903857.tif 000008
【図８】
0005903857.tif 000009
【図９】
0005903857.tif 000010
【図１０】
0005903857.tif 000011